(57)【要約】【課題】本考案は、簡単かつ迅速に装着、取り外しできると共にファッション的にも配慮された頭部保護環状バンドを提供する。【解決手段】頭部保護環状バンド１０の環状バンド体１２は伸縮可能で頭部挿入部１４が形成されている。環状バンド体１２の後部１２Ａの外側面には後部外側緩衝体１６が取り付けられている。環状バンド体１２と後部外側緩衝体１６の間には後部配設自由緩衝体収容ポケット１８が形成されている。環状バンド体１２の後部１２Ａの内側面には後部内側緩衝体２６が取り付けられている。環状バンド体１２の前部１２Ｂの外側面には前部外側緩衝体３０が取り付けられている。環状バンド体１２と前部外側緩衝体３０の間には前部配設自由緩衝体収容ポケット３２が形成されている。環状バンド体１２の前部１２Ｂの内側面には前部内側緩衝体３４が取り付けられている。【選択図】図１
0003204923.tif 000002
【実用新案登録請求の範囲】
【請求項１】
伸縮性を有する環状バンド体と、この環状バンド体に設けられた頭部挿入部と、前記環状バンド体の後部の外側面に取り付けられた後部外側緩衝体と、この後部外側緩衝体と前記環状バンド体とによって形成された後部配設自由緩衝体収容ポケットと、を有することを特徴とする頭部保護環状バンド。
【請求項２】
伸縮性を有する環状バンド体と、この環状バンド体に設けられた頭部挿入部と、前記環状バンド体の後部の外側面に取り付けられた後部外側緩衝体と、この後部外側緩衝体と前記環状バンド体とによって形成された後部配設自由緩衝体収容ポケットと、前記環状バンド体の前部の外側面に取り付けられた前部外側緩衝体と、この前部外側緩衝体と前記環状バンド体とによって形成された前部配設自由緩衝体収容ポケットと、を有することを特徴とする頭部保護環状バンド。
【請求項３】
前記環状バンド体の後部の内側面に取り付けられた後部内側緩衝体と、を有することを特徴とする請求項１記載の頭部保護環状バンド。
【請求項４】
前記環状バンド体の後部の内側面に取り付けられた後部内側緩衝体と、前記環状バンド体の前部の内側面に取り付けられた前部内側緩衝体と、を有することを特徴とする請求項２記載の頭部保護環状バンド。
【請求項５】
少なくとも前記後部配設自由緩衝体収容ポケットを開閉可能にしたことを特徴とする請求項１、請求項２、請求項３、請求項４のいずれか１項記載の頭部保護環状バンド。
【考案の詳細な説明】
【技術分野】
【０００１】
本考案は、歩行中等に誤って転倒した場合に頭部が床や畳等に強く当たっても頭部に作用する衝撃を緩衝して頭部が受けるダメージを抑えることができる頭部保護環状バンドに関する。
【背景技術】
【０００２】
病気や怪我で足が不自由になっている人や加齢で足腰が弱くなっている人は屋外のみならず屋内でも歩行中に誤って転倒し易い。
転倒すると転倒による衝撃で怪我をしてしまう場合があるが、特に転倒したはずみで頭部を床や畳等に打ちつけると頭部を強打して重篤な状態に至る場合がある。
そこで、誤って転倒しても頭部に大きなダメージが及ぶのを防ぐために頭部用保護キャップが提案されている。（例えば特許文献１）。
この頭部用保護キャップは環状部と、環状部の前頭部から後頭部に至る連結部と、前記環状部に取り付けられた止め紐が設けられている。
【先行技術文献】
【特許文献】
【０００３】
【特許文献１】実用新案登録第３１３２０７８号公報
【考案の概要】
【考案が解決しようとする課題】
【０００４】
このため、前記頭部用保護キャップは、頭部に装着する場合は止め紐を結んで頭部に装着し、取り外す場合は止め紐を解く必要があるので、煩雑で手間がかかるという不具合がある。
また、前記頭部用保護キャップを頭部に装着すると連結部が前頭部、頭頂部、後頭部に配設されるため、頭部用保護キャップを装着していることが一目でわかりファッション性に拘る人には頭部用保護キャップを装着するのは抵抗がある。
【０００５】
本考案は、上記事実に鑑みなされたものであり、簡単かつ迅速に装着したり取り外したりすることができると共にファッション的にも配慮された頭部保護環状バンドを提供するものである。
【課題を解決するための手段】
【０００６】
請求項１の考案は、伸縮性を有する環状バンド体と、この環状バンド体に設けられた頭部挿入部と、前記環状バンド体の後部の外側面に取り付けられた後部外側緩衝体と、この後部外側緩衝体と前記環状バンド体とによって形成された後部配設自由緩衝体収容ポケットと、を有することを特徴としている。
請求項２の考案は、伸縮性を有する環状バンド体と、この環状バンド体に設けられた頭部挿入部と、前記環状バンド体の後部の外側面に取り付けられた後部外側緩衝体と、この後部外側緩衝体と前記環状バンド体とによって形成された後部配設自由緩衝体収容ポケットと、前記環状バンド体の前部の外側面に取り付けられた前部外側緩衝体と、この前部外側緩衝体と前記環状バンド体とによって形成された前部配設自由緩衝体収容ポケットと、を有することを特徴としている。
請求項３の考案は、前記環状バンド体の後部の内側面に取り付けられた後部内側緩衝体と、を有することを特徴としている。
請求項４の考案は、前記環状バンド体の後部の内側面に取り付けられた後部内側緩衝体と、前記環状バンド体の前部の内側面に取り付けられた前部内側緩衝体と、を有することを特徴としている。
請求項５の考案は、少なくとも前記後部配設自由緩衝体収容ポケットを開閉可能にしたことを特徴としている。
【考案の効果】
【０００７】
本考案は、頭部を保護できると共に簡単かつ迅速に頭部に装着したり取り外したりすることができるという優れた効果を有する。
本考案は、シンプルな構成であるため装着してもわかり難いと共に頭部に装着した状態で帽子やスカーフを被っても違和感がないのでファッション的にも優れているという優れた効果を有する。
【図面の簡単な説明】
【０００８】
【図１】第１実施例の頭部保護環状バンドの縦断面図である。
【図２】第１実施例の頭部保護環状バンドの使用状態を示す全体斜視図である。
【図３】第１実施例の頭部保護環状バンドの後部配設自由緩衝体収容ポケットを開いた状態を示す一部周辺拡大斜視図である。
【図４】第１実施例の頭部保護環状バンドの前部配設自由緩衝体収容ポケットを開いた状態を示す一部周辺拡大斜視図である。
【図５】第１実施例の頭部保護環状バンドの装着状態を示す後部斜視図である。
【図６】第１実施例の頭部保護環状バンドの装着状態を示す前部斜視図である。
【図７】第２実施例の頭部保護環状バンドの使用状態を示す後部斜視図である。
【考案を実施するための形態】
【０００９】
考案を実施するために最良の形態の例として以下のような実施例を示す。
【実施例１】
【００１０】
図１〜図６には本考案に係る頭部保護環状バンドの第１実施例が示されている。
図１及び図２に示されるように、頭部保護環状バンド１０の環状バンド体１２は、綿、毛、ポリウレタン、ナイロン等の適宜素材からなる公知の布地で形成されている。
【００１１】
この環状バンド体１２は周方向に向かって伸縮可能に形成されると共に装着者の頭部を挿入できる頭部挿入部１４が形成されている。
前記環状バンド体１２は伸縮性を有しているので、頭部保護環状バンド１０を装着する者の頭部のサイズに関係なくフィットした状態で頭部保護環状バンド１０を装着することができるようになっている。
【００１２】
前記環状バンド体１２の後部１２Ａの外側面には綿、毛、ポリウレタン、ナイロン等の適宜素材からなる厚手の布地で矩形状に形成された後部外側緩衝体１６が取り付けられている。この後部外側緩衝体１６の上辺１６Ａ、下辺１６Ｂ、一側辺１６Ｃは糸（図示せず）で前記環状バンド体１２と縫着されているが、他側辺１６Ｄは前記環状バンド体１２と縫着されていない。
【００１３】
この結果、図３に示されるように前記環状バンド体１２と前記後部外側緩衝体１６の間には後部配設自由緩衝体収容ポケット１８が形成されている。
この後部配設自由緩衝体収容ポケット１８には適宜の素材で形成された配設自由緩衝体としての合成樹脂プレート２０を複数枚収容できるようになっている。
【００１４】
前記後部配設自由緩衝体収容ポケット１８の入口部１８Ａに対応する後部外側緩衝体１６の他側辺１６Ｄの内側面にはマジックテープ（登録商標）等の第１面ファスナー２２（想像線で示す）が取り付けられている。また、前記環状バンド体１２にも前記第１面ファスナー２２と対応して第１面ファスナー２２と着脱可能なマジックテープ（登録商標）等の第２面ファスナー２４が取り付けられている。
【００１５】
従って、第１面ファスナー２２と第２面ファスナー２４を着脱することにより前記後部配設自由緩衝体収容ポケット１８を開閉できると共に後部配設自由緩衝体収容ポケット１８に収容した合成樹脂プレート２０が不用意に脱落しないようになっている。
【００１６】
図１及び図２に示されるように、前記環状バンド体１２の後部１２Ａの内側面には綿、毛、ポリウレタン、ナイロン等の適宜素材からなる厚手の布地で矩形状に形成された後部内側緩衝体２６が取り付けられている。
【００１７】
前記環状バンド体１２の前部１２Ｂの外側面には綿、毛、ポリウレタン、ナイロン等の適宜素材からなる厚手の布地で矩形状に形成された前部外側緩衝体３０が取り付けられている。この前部外側緩衝体３０は前記後部外側緩衝体１６と同一の素材の布地で形成されている。
【００１８】
図２に示されるように、前記前部外側緩衝体３０の上辺３０Ａ、下辺３０Ｂ、一側辺３０Ｃは糸で前記環状バンド体１２と縫着されているが、他側辺３０Ｄは前記環状バンド体１２と縫着されていない。
【００１９】
この結果、図４に示されるように前記環状バンド体１２と前記前部外側緩衝体３０の間には前部配設自由緩衝体収容ポケット３２が形成されている。この前部配設自由緩衝体収容ポケット３２には前記合成樹脂プレート２０を複数枚収容できるようになっている。
【００２０】
前記前部配設自由緩衝体収容ポケット３２の入口部３２Ａに対応する前記前部外側緩衝体３０の他側辺３０の内側面には第１面ファスナー２２（想像線で示す）が取り付けられている。また、前記環状バンド体１２にも第１面ファスナー２２と対応して第２面ファスナー２４が取り付けられている。
【００２１】
従って、第１面ファスナー２２と第２面ファスナー２４を着脱することにより前記前部配設自由緩衝体収容ポケット３２を開閉できると共に前部配設自由緩衝体収容ポケット３２に収容した合成樹脂プレート２０が不用意に脱落しないようになっている。
【００２２】
図１及び図２に示されるように、前記環状バンド体１２の前部１２Ｂの内側面には綿、毛、ポリウレタン、ナイロン等の適宜素材からなる厚手の布地で矩形状に形成された前部内側緩衝体３４が取り付けられている。
【００２３】
次に、実施例の頭部保護環状バンド１０の作用について説明する。
頭部保護環状バンド１０を頭部に装着する場合は、最初に後部配設自由緩衝体収容ポケット１８の入口部１８Ａと前部配設自由緩衝体収容ポケット３２の入口部３２Ａを開いて、後部配設自由緩衝体収容ポケット１８と前部配設自由緩衝体収容ポケット３２にそれぞれ合成樹脂プレート２０を複数枚収容する。
【００２４】
そして、環状バンド体１２を広げて後頭部に後部内側緩衝体２６を対応させると共に前頭部に前部内側緩衝体３４を対応させた状態で頭部を頭部挿入部１４に入れる。
前記環状バンド体１２は伸縮性を有する布地で形成されているので、図５及び図６に示されるように頭部を少し締め付けてフィットした状態で頭部保護環状バンド１０を頭部に装着することができる。
【００２５】
従って、頭部保護環状バンド１０は装着する場合は環状バンド体１２を拡げて頭部挿入部１４に着用者の頭部を入れるだけで簡単かつ迅速に頭部保護環状バンド１０を装着でき、頭部保護環状バンド１０を取り外す場合は環状バンド体１２を引っ張るだけで簡単かつ迅速に頭部保護環状バンド１０を取り外すことができる。
【００２６】
また、頭部保護環状バンド１０を装着した状態で歩行している最中に誤って転倒し、後頭部や前頭部が畳や床等に当たっても前記後部外側緩衝体１６、合成樹脂プレート２０、後部内側緩衝体２６及び前記前部外側緩衝体３０、合成樹脂プレート２０、前部内側緩衝体３４によって衝撃が吸収されて後頭部や前頭部にダメージが及ぶのを抑えることができる。
【００２７】
しかも、頭部保護環状バンド１０は、環状バンド体１２が側頭部も帯状に覆うので転倒した際に側頭部も多少保護される。
【００２８】
なお、頭部保護環状バンド１０は、構造がシンプルであるので頭部保護環状バンド１０を装着状態があたかもバンダナをしているように見えるため、頭部保護環状バンド１０を装着している印象を第三者に与え難くファッション的にも優れている。
【００２９】
さらに、頭部保護環状バンド１０を装着すれば誤って転倒した時に頭部が受けるダメージを抑えることができるので、頭部保護環状バンド１０を装着しての歩行訓練、足腰のリハビリテーションや散歩等の外出に積極的になれるので、健康維持や健康回復に役立たせることができる。
【００３０】
なお、頭部保護環状バンド１０を装着しているのを隠したい場合は、頭部保護環状バンド１０はシンプルな構成であるので頭部保護環状バンド１０を装着した上から帽子やスカーフを被ることができる。
【００３１】
これにより、頭部保護環状バンド１０を装着の事実を隠すことができる。特に、ファッション性を気にする女性や若い人にとっては頭部保護環状バンド１０を装着した上から帽子やスカーフを被ることにより外出に積極的になれる。
【００３２】
また、強風時に帽子やスカーフを被って外出する場合は、帽子やスカーフを被った状態で頭部保護環状バンド１０を装着すると、頭部保護環状バンド１０は帽子やスカーフを締め付けるので、強風等により帽子やスカーフが飛んだりするのを防止することができる。
【００３３】
なお、配設自由緩衝体（合成樹脂プレート２０）は取り外し自由であるため、後部配設自由緩衝体収容ポケット１８、前部配設自由緩衝体収容ポケット３２から配設自由緩衝体（合成樹脂プレート２０）を取り出して洗濯することにより、頭部保護環状バンド１０を清潔に保つことができる。
【００３４】
図７には頭部保護環状バンドの第２実施例が示されている。なお、第１実施例の頭部保護環状バンド１０と同一の構成は同一の符号を用いてその説明は省略する。
【００３５】
第２実施例の頭部保護環状バンド４０は、前記環状バンド体１２の後部１２Ａの外側面に後部外側緩衝体１６、後部配設自由緩衝体収容ポケット１８、後部内側緩衝体２６が取り付けられているが、前記環状バンド体１２の前部１２Ｂには前部外側緩衝体３０、前部配設自由緩衝体収容ポケット３２、前部内側緩衝体３４は設けられていない。
【００３６】
頭部保護環状バンド４０において前記環状バンド体１２の後部１２Ａにのみ後部外側緩衝体１６、後部配設自由緩衝体収容ポケット１８、後部内側緩衝体２６を取り付けたのは前頭部から倒れる場合は咄嗟に手等で前頭部を庇うことができ易いが、後頭部から倒れる場合は咄嗟に手等で後頭部を庇い難いので、主に後頭部を保護できるようにするためのものである。
【００３７】
従って、第２実施例の頭部保護環状バンド４０は、第１実施例の頭部保護環状バンド１０に比べて構成をよりシンプルにすることができる。このため、ファッション性をより高めることができると共に提供価格を抑えることができる。
【００３８】
なお、第２実施例の頭部保護環状バンド４０の他の構成、作用は第１実施例の頭部保護環状バンド１０と同一であるのでその説明は省略する。
【００３９】
なお、実施例では環状バンド体１２の後部１２Ａの内側面に後部内側緩衝体２６を取り付け、環状バンド体１２の前部１２Ｂの内側面に前部内側緩衝体３４を取り付けた場合を示したが、緩衝性能は実施例に比べて低下するが構成をよりシンプルにする場合は後部内側緩衝体２６、前部内側緩衝体３４を省略する構成にしてもよい。
【００４０】
また、実施例では配設自由緩衝体としての合成樹脂プレート２０を示したが、配設自由緩衝体は合成樹脂プレート２０に限定されるものではなく布、スポンジ等のクッション性を有する物や、あるいは怪我防止の願いを込めて寺社のお札、お守等でもよい。
【００４１】
なお、前記環状バンド体１２、前記後部外側緩衝体１６、前記後部内側緩衝体２６、前記前部内側緩衝体３４、前記前部外側緩衝体３０、前記前部内側緩衝体３４の素材は実施例に示した素材以外でもよいことは勿論である。
【００４２】
また、図面では環状バンド体１２の肉厚を厚めに描いたが、環状バンド体１２の肉厚は図面で描いた肉厚よりも薄くてもよいことは勿論である。
【符号の説明】
【００４３】
１０    頭部保護環状バンド
１２    環状バンド体
１４    頭部挿入部
１６    後部外側緩衝体
１６Ａ  上辺
１６Ｂ  下辺
１６Ｃ  一側辺
１６Ｄ  他側辺
１８    後部配設自由緩衝体収容ポケット
１８Ａ  入口部
２０    合成樹脂プレート
２２    第１面ファスナー
２４    第２面ファスナー
２６    後部内側緩衝体
３０    前部外側緩衝体
３０Ａ  上辺
３０Ｂ  下辺
３０Ｃ  一側辺
３０Ｄ  他側辺
３２    前部配設自由緩衝体収容ポケット
３２Ａ  入口部
３４    前部内側緩衝体
【図１】
0003204923.tif 000003
【図２】
0003204923.tif 000004
【図３】
0003204923.tif 000005
【図４】
0003204923.tif 000006
【図５】
0003204923.tif 000007
【図６】
0003204923.tif 000008
【図７】
0003204923.tif 000009